(57)【特許請求の範囲】
【請求項１】
各住宅用外壁パネル（ＯＷ）の対向端面間に画成される縦目地（ＶＪ）と横目地（ＨＪ）との逆Ｔ字状交差部（ＲＴＪ）を密封するための目地シール材であって、前記目地シール材が、縦目地１次止水材（ＶＳ1 ）と縦目地２次止水材（ＶＳ2 ）から成る縦目地シール材（ＶＳ）と、横目地１次止水材（ＨＳ1 ）と横目地２次止水材（ＨＳ2 ）から成る横目地シール材（ＨＳ）と、前記縦目地２次止水材（ＶＳ2 ）と前記横目地２次止水材（ＨＳ2 ）との逆Ｔ字状交差部（ＲＴＪ）に横断面が略Ｌ字状の縦目地３次止水材（ＶＳ3 ）を介在せしめて成り、前記縦目地３次止水材（ＶＳ3 ）が、  該縦目地３次止水材（ＶＳ3 ）の立ち上がり領域の側端面と水平領域の上端面とを夫々前記縦目地２次止水材ＶＳ2 の後面と下端面とに圧着させる一方、該縦目地３次止水材（ＶＳ3 ）の水平領域の下端面を前記横目地２次止水材ＨＳ2 の上面に圧着させることを特徴とする目地シール材。
【請求項２】
前記縦目地１次止水材（ＶＳ1 ）と前記横目地１次止水材（ＨＳ1 ）がゴム様弾性材から成り、前記縦目地２次止水材（ＶＳ2 ）、前記横目地２次止水材（ＨＳ2 ）及び前記縦目地３次止水材（ＶＳ3 ）が夫々スポンジ材から成ることを特徴とする請求項１に記載の目地シール材。
【請求項３】
前記縦目地３次止水材（ＶＳ3 ）が、横断面が略Ｌ字状に形成される硬質樹脂又は金属製の縦板（２）と、該縦板（２）の少なくとも片面に層設されるスポンジ部（１）とを具備して成ることを特徴とする請求項１又は２に記載の目地シール材。
【発明の詳細な説明】
【０００１】
【発明の属する技術分野】
本発明は各住宅用外壁パネルの対向端面間に画成される縦目地と横目地の逆Ｔ字状交差部を密封するための目地シール材に関するものである。
【０００２】
【従来の技術】
各住宅用外壁パネルを組み立てる場合、通常図６〜図８に示したように、各住宅用外壁パネルＯＷの対向端面間に画成される縦目地ＶＪが、上下の住宅用外壁パネルＯＷに沿って連通（所謂芋目地状）せずに、横目地ＨＪによって遮断されて上下に食い違いを生じさせる、所謂破り目地状に形成される。
図６は、前記縦目地ＶＪと前記横目地ＨＪとの逆Ｔ字状の破り目地を示す正面図であり、横目地シール材ＨＳの上方側面に縦目地シール材ＶＳの下方端部が当接して形成される逆Ｔ字状交差部ＲＴＪが丸印で囲んで示されている。図７は、前記逆Ｔ字状交差部ＲＴＪ近傍における従来の目地シール材全体の構成を一部破断及び除去して示した斜視図であり、図８は、図６のＡ−Ａ線に沿って切断して示した横断面図である。
【０００３】
前記縦目地ＶＪに装着される前記縦目地シール材ＶＳは、例えば天然ゴム、エチレン−プロピレンソリッドゴム材、クロロプレンリッドゴム材、エチレン−プロピレンスポンジゴム材、スチレン系、オレフィン系、塩化ビニル系、ウレタン系等の熱可塑性エラストマー材、又は熱可塑性エラストマー発泡体材等のゴム様弾性材から成り、通常錨状の横断面形状を有する細長ガスケットの縦目地１次止水材ＶＳ1 と、スポンジゴム又は樹脂スポンジ材から成る棒状の縦目地２次止水材ＶＳ2 を具備して成り、同様に前記横目地ＨＪに装着される前記横目地シール材ＨＳも、例えば天然ゴム、エチレン−プロピレンソリッドゴム材、エチレン−プロピレンスポンジゴム材、スチレン系、オレフィン系、塩化ビニル系、ウレタン系等の熱可塑性エラストマー材、又は熱可塑性エラストマー発泡体材等のゴム様弾性材から成り、通常錨状の横断面形状を有する細長ガスケットの横目地１次止水材ＨＳ1 と、スポンジゴム又は樹脂スポンジ材から成る棒状の横目地２次止水材ＨＳ2 を具備して成っていた。
【０００４】
前記各縦目地ＶＪ及び横目地ＨＪの外方に装着される前記各縦目地１次止水材ＶＳ1 及び横目地１次止水材ＨＳ1 から浸入した雨水等の潜り水Ｗは、内方に前記縦目地２次止水材ＶＳ2 及び横目地２次止水材ＨＳ2 を配設し、更に前記逆Ｔ字状交差部ＲＴＪ及びその近傍の前記横目地２次止水材ＨＳ2 の上方側面に対する前記縦目地２次止水材ＶＳ2 の下方端当接部にコーキング材Ｃを充填することによって、前記各縦目地１次止水材ＶＳ1 及び横目地１次止水材ＨＳ1 と前記縦目地２次止水材ＶＳ2 及び横目地２次止水材ＨＳ2 との間に画成される導水路に導かれて、住宅室内への浸入が阻止されていた。
【０００５】
【発明が解決しようとする課題】
しかしながら、前述した従来の目地シール材は、前記逆Ｔ字状交差部ＲＴＪ及びその近傍の前記横目地２次止水材ＨＳ2 の上方面に対する前記縦目地２次止水材ＶＳ2 の下方端当接部に前記コーキング材Ｃを充填する場合、コーキング作業自体が煩雑で、且つ作業者によってコーキング仕上がり状態にバラツキが生じ易く、その結果、前記逆Ｔ字状交差部ＲＴＪ及びその近傍の止水性を良好に確保することが困難であった。
【０００６】
本発明は前述した従来技術の問題点を解消し、住宅用外壁パネルの建て込み作業性及び逆Ｔ字状交差部及びその近傍の止水性の向上図ることが可能な目地シール材を提供することを目的とするものである。
【０００７】
【課題を解決するための手段】
本発明のかかる目的は、各住宅用外壁パネルの対向端面間に画成される縦目地と横目地との逆Ｔ字状交差部を密封するための目地シール材であって、前記目地シール材が、縦目地１次止水材と縦目地２次止水材から成る縦目地シール材と、横目地１次止水材と横目地２次止水材から成る横目地シール材と、前記縦目地２次止水材と前記横目地２次止水材との逆Ｔ字状交差部に横断面が略Ｌ字状の縦目地３次止水材（ＶＳ3 ）を介在せしめて成り、前記縦目地３次止水材（ＶＳ3 ）が、  該縦目地３次止水材（ＶＳ3 ）の立ち上がり領域の側端面と水平領域の上端面とを夫々前記縦目地２次止水材ＶＳ2 の後面と下端面とに圧着させる一方、該縦目地３次止水材（ＶＳ3 ）の水平領域の下端面を前記横目地２次止水材ＨＳ2 の上面に圧着させることを特徴とする目地シール材によって達成される。
【０００８】
更に、本発明のかかる目的は、前記縦目地１次止水材と前記横目地１次止水材がゴム様弾性材から成り、前記縦目地２次止水材、前記横目地２次止水材及び前記縦目地３次止水材）が夫々スポンジ材から成ることを特徴とする目地シール材によって達成される。
【０００９】
更に、本発明のかかる目的は、前記縦目地３次止水材が、横断面が略Ｌ字状に形成される硬質樹脂又は金属製の縦板と、該縦板の少なくとも片面に層設されるスポンジ部とを具備して成ることを特徴とする目地シール材によって達成される。
【００１０】
【作用】
本発明の目地シール材は、前記各住宅用外壁パネルの対向端面間に画成される前記縦目地と前記横目地との前記逆Ｔ字状交差部を密封するための目地シール材であって、前記目地シール材が、前記縦目地１次止水材と前記縦目地２次止水材から成る前記縦目地シール材と、前記横目地１次止水材と前記横目地２次止水材から成る前記横目地シール材と、前記縦目地２次止水材と前記横目地２次止水材との逆Ｔ字状交差部に横断面が略Ｌ字状の縦目地３次止水材（ＶＳ3 ）を介在せしめて成り、前記縦目地３次止水材（ＶＳ3 ）が、  該縦目地３次止水材（ＶＳ3 ）の立ち上がり領域の側端面と水平領域の上端面とを夫々前記縦目地２次止水材ＶＳ2 の後面と下端面とに圧着させる一方、該縦目地３次止水材（ＶＳ3 ）の水平領域の下端面を前記横目地２次止水材ＨＳ2 の上面に圧着させるので、前記縦目地２次止水材と前記横目地２次止水材との前記逆Ｔ字状交差部及びその近傍に対し前記縦目地３次止水材の簡単な貼着〜固定作業によって、良好な止水性を確保する。
【００１１】
更に、本発明の目地シール材は、前記縦目地１次止水材と前記横目地１次止水材が前記ゴム様弾性材から成り、前記縦目地２次止水材、前記横目地２次止水材及び前記縦目地３次止水材が夫々前記スポンジ材から成るので、前記縦目地３次止水材の前記スポンジ材が、前記縦目地２次止水材の下方端部の現場合わせ作業で生じる切断寸法のバラツキ、あるいは前記縦目地３次止水材自体の貼着〜固定作業で生じる配設位置のバラツキ等が生じても、前記縦目地２次止水材ＶＳ2と前記横目地２次止水材ＨＳ2 との各圧着面に対して密封に必要な程度まで弾性変形して密封状態を維持し、且つ前記縦目地３次止水材におけるその立ち上がり及び水平領域の長さを適正に設定することによって、前記逆Ｔ字状交差部及びその近傍から浸入した潜り水の浸入及び上昇を阻止して、住宅室内への浸水を阻止する。
【００１２】
更に、本発明の目地シール材は、前記縦目地３次止水材が、横断面を略Ｌ字状に形成される硬質樹脂又は金属製の前記縦板と、該縦板の少なくとも片面に層設される前記スポンジ部とを具備して成るので、前記縦板の側面に層設されて曲げ剛性が補強された前記縦目地３次止水材の前記スポンジ部が、前記縦目地に対する貼着〜固定作業の位置決め精度を向上せしめ、且つ前記縦目地２次止水材の後面及び下端面、並びに前記横目地２次止水材の上面を確実に支持して、前記逆Ｔ字状交差部の止水性補強効果を奏する。
【００１３】
【発明の実施の形態】
本発明の目地シール材の一実施態様について添付した図面に基づき以下に詳述する。図１は、前記逆Ｔ字状交差部ＲＴＪ近傍における従来の目地シール材全体の構成を示した図８と同様に、図６のＡ−Ａ線に沿って切断して示した本発明の目地シール材の横断面図であり、図２は、本発明に基づく前記縦目地３次止水材を示した斜視図であり、図３は、前記逆Ｔ字状交差部ＲＴＪ近傍における本発明の目地シール材全体の構成を一部破断及び除去して示した斜視図である。
【００１４】
図１〜図３に示した本発明の目地シール材の要部構成は、前述した従来の目地シール材のそれと同様に、前記縦目地ＶＪに装着される縦目地シール材ＶＳは、例えば天然ゴム、エチレン−プロピレンソリッドゴム材、エチレン−プロピレンスポンジゴム材、スチレン系、オレフィン系、塩化ビニル系、ウレタン系等の熱可塑性エラストマー材、又は熱可塑性エラストマー発泡体材等のゴム様弾性材から成り、通常錨状の横断面形状を有する細長ガスケットの縦目地１次止水材ＶＳ1 と、スポンジゴム又は樹脂スポンジ材から成る丸棒状の縦目地２次止水材ＶＳ2 を具備して成り、同様に前記横目地ＨＪに装着される横目地シール材ＨＳも、例えば天然ゴム、エチレン−プロピレンソリッドゴム材、エチレン−プロピレンスポンジゴム材、スチレン系、オレフィン系、塩化ビニル系、ウレタン系等の熱可塑性エラストマー材、又は熱可塑性エラストマー発泡体材等のゴム様弾性材から成り、通常錨状の横断面形状を有する細長ガスケットの横目地１次止水材ＨＳ1 と、スポンジゴム又は樹脂スポンジ材から成る棒状の横目地２次止水材ＨＳ2 を具備して成る。
【００１５】
更に、本発明の目地シール材の特徴点は、前記縦目地２次止水材ＶＳ2 と前記横目地２次止水材ＨＳ2 との前記逆Ｔ字状交差部ＲＴＪに介在せしめる縦目地３次止水材ＶＳ3 を具備して成ることにある。
前記縦目地３次止水材ＶＳ3 は、前記縦目地ＶＪを前記各住宅用外壁パネルＯＷの対向端面間に画成する前に、前記一方の住宅用外壁パネルＯＷの側面に貼着〜固定される先付けタイプである場合、図２に示したようにスポンジ部１及び両面接着テープＴＰのみで横断面を略Ｌ字状に形成せしめることが可能である。
また、前記縦目地３次止水材ＶＳ3 が前述したような先付けタイプであっても、その止水性を更に向上させるために立ち上がり領域の長さを更に長く設定することも可能であるが、前記縦目地ＶＪの画成後に前記縦目地２次止水材ＶＳ2 を該縦目地ＶＪに挿入する際、強度不足が生じるので、図４に示すように硬質樹脂又は金属製の平板２の片面に前記スポンジ部１を層設して、該スポンジ部１の曲げ剛性を補強することが好ましい。
【００１６】
一方、前記縦目地３次止水材ＶＳ3 が、前記縦目地ＶＪを前記各住宅用外壁パネルＯＷの対向端面間に画成した後に、該縦目地ＶＪに挿入〜固定される後付けタイプである場合、良好な止水性を保証するめに前記縦目地ＶＪの目地幅は前記縦目地３次止水材ＶＳ3 の幅よりも狭く設定されるので、図５に示したように、前記縦目地３次止水材ＶＳ3 は、前記硬質樹脂又は金属製の平板２の両面に前記スポンジ部１を層設して、該スポンジ部１の曲げ剛性を補強することが好ましい。
なお、前記平板２は、前記スポンジ部１の前記縦目地２次止水材ＶＳ2 と前記横目地２次止水材ＨＳ2 との各圧着面が密封に必要な程度まで弾性変形するように、前記各圧着面から若干その端面を後退させることが好ましい。
【００１７】
前記縦目地２次止水材ＶＳ2 は、その横断面形状を丸棒状に限定するものでなく、長方形状に変更することも可能であるが、要は前記縦目地３次止水材ＶＳ3 における立ち上がり及び水平領域の前記各圧着面に対向する前記縦目地２次止水材ＶＳ2 の後面及び下端面が、充分な圧着状態を維持可能な形状を有するものであれば良い。
また、前記縦目地２次止水材ＶＳ2 は、図１に示したように、前記縦目地３次止水材ＶＳ3 の立ち上がり領域の上端部に対して若干オーバーハングするように湾曲せさながら配設することによって、前記立ち上がり領域との圧着状態が良好に維持される。
【００１８】
前記縦目地２次止水材ＶＳ2 、前記縦目地３次止水材ＶＳ3 及び前記横目地２次止水材ＨＳ2 の代表的な取付け方法は以下の通りである。先ず、一方の上方側住宅用外壁パネルＯＷの側面に前記縦目地３次止水材ＶＳ3 を、工場あるいは組立現場で前記両面テープＴＰによって所定位置に貼着〜固定した後、前記縦目地３次止水材ＶＳ3 の他方の側面に他方の上方側住宅用外壁パネルＯＷの側面を圧接させて、所定幅の縦目地ＶＪを画成する。その後、現場合わせで前記縦目地２次止水材ＶＳ2 を所望する長さに切断し、前記縦目地３次止水材ＶＳ3 の前記立ち上がり及び水平領域の前記各圧着面に前記縦目地２次止水材ＶＳ2 の後面及び下端面を圧着させながら、該縦目地２次止水材ＶＳ2 を所定位置に挿入〜固定する。
【００１９】
更に、専ら前記横目地ＨＪを画成する下方側住宅用外壁パネルＯＷの上端面に両面テープＴＰで予め固定した前記横目地２次止水材ＨＳ2 の上面に、前記縦目地ＶＪを画成し、その中に前記縦目地３次止水材ＶＳ3 及び前記縦目地２次止水材ＶＳ2 を装着した前記両方の上方側住宅用外壁パネルＯＷを載置して、所定幅の横目地ＨＪを画成してそれらの取付けを完了させる。
なお、前記縦目地３次止水材ＶＳ3 の前記スポンジ部１は、前記縦目地２次止水材ＶＳ2 の下方端部の現場合わせ作業で生じる切断寸法のバラツキ、あるいは前記縦目地３次止水材ＶＳ3 自体の貼着〜固定位置のバラツキが生じても、前記縦目地２次止水材ＶＳ2 と前記横目地２次止水材ＨＳ2 との各圧着面に対して密封に必要な程度まで弾性変形して、前記逆Ｔ字状交差部ＲＴＪ及びその近傍からの潜り水Ｗの浸入をを阻止し、住宅室内への浸水を阻止する。
【００２０】
【発明の効果】
以上、記述した本発明の目地シール材は、次に記すような新規な効果を奏するものである。即ち、本発明の目地シール材は、前記各住宅用外壁パネルの対向端面間に画成される前記縦目地と前記横目地との前記逆Ｔ字状交差部を密封するための目地シール材であって、前記目地シール材が、前記縦目地１次止水材と前記縦目地２次止水材から成る前記縦目地シール材と、前記横目地１次止水材と前記横目地２次止水材から成る前記横目地シール材と、前記縦目地２次止水材と前記横目地２次止水材との逆Ｔ字状交差部に横断面が略Ｌ字状の縦目地３次止水材（ＶＳ3 ）を介在せしめて成り、前記縦目地３次止水材（ＶＳ3 ）が、  該縦目地３次止水材（ＶＳ3 ）の立ち上がり領域の側端面と水平領域の上端面とを夫々前記縦目地２次止水材ＶＳ2 の後面と下端面とに圧着させる一方、該縦目地３次止水材（ＶＳ3 ）の水平領域の下端面を前記横目地２次止水材ＨＳ2 の上面に圧着させるので、前記縦目地２次止水材と前記横目地２次止水材との前記逆Ｔ字状交差部及びその近傍に対し前記縦目地３次止水材による簡単な貼着〜固定作業によって、良好な止水性を確保することが可能になった。
【００２１】
更に、本発明の目地シール材は、前記縦目地１次止水材と前記横目地１次止水材が前記ゴム様弾性材から成り、前記縦目地２次止水材、前記横目地２次止水材及び前記縦目地３次止水材が夫々前記スポンジ材から成るので、前記縦目地３次止水材の前記スポンジ材が、前記縦目地２次止水材の下方端部の現場合わせ作業で生じる切断寸法のバラツキ、あるいは前記縦目地３次止水材自体の貼着〜固定作業で生じる配設位置のバラツキ等が生じても、前記縦目地２次止水材ＶＳ2と前記横目地２次止水材ＨＳ2 との各圧着面に対して密封に必要な程度まで弾性変形し、且つ前記縦目地３次止水材におけるその立ち上がり及び水平領域の長さを適正に設定することによって、前記逆Ｔ字状交差部ＲＴＪ及びその近傍からの潜り水Ｗの浸入を阻止し、その結果、住宅室内への浸水を阻止することが可能になった。
【００２２】
更に、本発明の目地シール材は、前記縦目地３次止水材が、横断面を略Ｌ字状に形成される硬質樹脂又は金属製の前記縦板と、該縦板の少なくとも片面に層設される前記スポンジ部とを具備して成るので、前記縦板の側面に層設されて曲げ剛性が補強された前記スポンジ部が、前記縦目地に対する貼着〜固定作業の位置決め精度を向上せしめ、且つ前記縦目地２次止水材の後面及び下端面、並びに前記横目地２次止水材の上面を確実に支持して、前記逆Ｔ字状交差部の止水性補強効果を付与することが可能になった。
【図面の簡単な説明】
【図１】図６のＡ−Ａ線に沿って切断して示した本発明の目地シール材の横断面図である。
【図２】本発明に基づく縦目地３次止水材を示した斜視図である。
【図３】本発明の目地シール材全体の構成を一部破断及び除去して示した斜視図である。
【図４】本発明に基づく縦目地３次止水材の変更例を示した斜視図である。
【図５】本発明に基づく縦目地３次止水材の他の変更例を示した斜視図である。
【図６】縦目地と横目地との逆Ｔ字状の破り目地を示す正面図である。
【図７】従来の目地シール材全体の構成を一部破断及び除去して示した斜視図である。
【図８】図６のＡ−Ａ線に沿って切断して示した従来の目地シール材の横断面図である。
【符号の説明】
ＯＷ      住宅用外壁パネル
ＶＪ      縦目地
ＨＪ      横目地
ＶＳ      縦目地シール材
ＶＳ1     縦目地１次止水シール材
ＶＳ2     縦目地２次止水シール材
ＨＳ      横目地シール材
ＨＳ1     横目地１次止水シール材
ＨＳ2     横目地２次止水シール材
ＴＰ      両面接着テープ
ＲＴＪ    逆Ｔ字状目地交差部
Ｗ        潜り水
ＶＳ3     縦目地３次止水シール材
１        スポンジ部
２        縦板
【図１】
0003919971.tif 000002
【図２】
0003919971.tif 000003
【図３】
0003919971.tif 000004
【図４】
0003919971.tif 000005
【図５】
0003919971.tif 000006
【図６】
0003919971.tif 000007
【図７】
0003919971.tif 000008
【図８】
0003919971.tif 000009